(57)【特許請求の範囲】
【請求項１】
空積みした擁壁ブロックの前部に植栽用の土壌を胴込めして緑化擁壁を形成する緑化工法において、前壁と、前壁から控え方向に延びる左右の横壁および底壁を有する擁壁ブロックの控え側の胴込めポーラスコンクリート部に胴込めポーラスコンクリートを胴込めしかつ胴込めポーラスコンクリートの前方の前壁寄りの植栽用の土壌部に土壌を胴込めして左右に積み、次いで上記の土壌を胴込めした擁壁ブロックの上に上段擁壁ブロックを控え方向にずらして上記の土壌を胴込めした擁壁ブロックの胴込めした土壌部分に植栽域の開放部に空けて積み上げ、積み上げた擁壁ブロックの背面に割石や栗石などの裏込め材を裏込めし、植栽域の開放部に植物を植栽することにより高段積みの緑化擁壁を形成することを特徴とするスピードプレハブ擁壁ブロックによる緑化工法。
【請求項２】
空積みした擁壁ブロックの前部に植栽用の土壌を胴込めして緑化擁壁を形成する緑化工法において、左右の横壁と該左右の横壁下端から上部前方に徐々に突き出しながら傾斜した前壁と底壁と左右横壁の後端の下部を繋ぐ後壁とを有し、左右の横壁の中間に横壁と平行に補強板を有し、該補強板の後端と当接する箇所の該後壁の高さを横壁の高さと同じ背高部に形成し、かつ、前壁の背面と横壁の前端部より前方の空間を植栽域の開放部に形成している擁壁ブロックに、植栽用の土壌を胴込めして上下左右に積み上げ、積み上げた擁壁ブロックの背面に裏込めポーラスコンクリートを裏込めし、さらにその背後に割石や栗石などの裏込め材を裏込めし、植栽域の開放部に植物を植栽することにより高段積みの緑化擁壁を形成することを特徴とするスピードプレハブ擁壁ブロックによる緑化工法である。
【請求項３】
胴込めポーラスコンクリートまたは裏込めポーラスコンクリートは、水分および空気を通すことができ、かつ、圧縮強度１０Ｎ／ｍｍ2以上、空隙率１５％以上および透水係数１０-2ｃｍ／ｓ以上からなるポーラスコンクリートを使用いることを特徴とする請求項１または２に記載のスピードプレハブ擁壁ブロックによる緑化工法。
【請求項４】
空積みした擁壁ブロックの前部に植栽用の土壌を胴込めして緑化擁壁を形成する緑化工法において、左右の横壁と該左右の横壁下端から上部前方に徐々に突き出しながら傾斜した前壁と底壁と左右横壁の後端の下部を繋ぐ後壁とを有し、左右の横壁の中間に横壁と平行に補強板を有し、該補強板の後端と当接する箇所の該後壁の高さを横壁の高さと同じ背高部に形成し、かつ、前壁の背面と横壁の前端部より前方の空間を植栽域の開放部に形成している擁壁ブロックに、植栽用の土壌を胴込めして上下左右に積み上げ、背面に直に裏込め材を裏込めして擁壁とし、植栽域の開放部に植物を植栽することにより低・中段積みの緑化擁壁を形成することを特徴とするスピードプレハブ擁壁ブロックによる緑化工法。
【請求項５】
左右の横壁と該左右の横壁下端から上部前方に徐々に突き出しながら前方に傾斜した前壁と底壁と左右横壁の後端の下部を繋ぐ後壁とを有し、左右の横壁の中間に横壁と平行に補強板を有し、該補強板の後端と当接する箇所の該後壁の高さを横壁の高さと同じ背高部に形成し、かつ、前壁の背面と横壁の前端部より前方の空間を植栽域の開放部に形成していることを特徴とする請求項２〜４のいずれか１項に記載の緑化工法に用いる擁壁ブロック。
【請求項６】
横壁および底壁はそれぞれ開孔が形成されていることを特徴とする請求項５に記載の擁壁ブロック。
【発明の詳細な説明】
【０００１】
【発明の属する技術分野】
本発明は、築堤や護岸あるいは道路切り通し崖あるいは宅地造成地などの法面の土留による緑化工法および該工法に用いるプレハブ擁壁ブロックに関する。
【０００２】
【従来の技術】
近年、わが国の国土は道路、河川、宅地造成などでは、その法面は擁壁構造で保護されており、コンクリートの現場打ちあるいは擁壁ブロックの積み上げ工法で施工されている。特に施工が短時間で可能な従来の間知ブロック積み、あるいはもたれ擁壁に代わる大型のブロック積土留工法としてスピード土留プレハブ工法を出願人は開発しており、この工法に適用できる大型のスピードプレハブ擁壁ブロック、特に、短期間で施工する工法ならびにそのために用いるプレハブ擁壁ブロックを開発してきた。すなわち、この大型のスピードプレハブ擁壁ブロックは、従来の積みブロックの額面および控長を大型化し箱状にしたブロック製品を１段ごとに積み上げ、胴込め工、裏込め工を施して所定の高さまで構築していくものである。これに使用する各擁壁ブロックは、単体で扶壁式擁壁の形態をしているので上段に積み上げた壁体の転倒を防止し、底版上に埋め戻しされた土砂がカウンターウエイトとして作用するものである。
【０００３】
この従来の擁壁工法を図６を参照して説明すると、各擁壁ブロックは前壁３と前壁の背面から控え方向に延びる横壁４と図示しない底壁５からなる。この擁壁ブロックを用いて盛土や崖などの法面１３の擁壁１とするとき、擁壁１を施工する盛土や崖などの法面１３の前方の基盤１０に基礎工として栗石または割石１１を敷き、その上に基礎コンクリート１２を打つ。次いで擁壁１を施工する法面１３から裏込め工の場所を空けて、最下段の擁壁ブロック２を据え付ける。擁壁ブロック２には前壁下部に達する水抜き孔３０を擁壁１の背部の裏込め部の割石あるいは栗石などの裏込め材１５の部分から吸い出し防止材２９を当てがって配設して法面１３の水を排出できるようにした後、擁壁ブロック２に胴込めコンクリート２８を上方から胴込めする。
【０００４】
このようにして左右に擁壁ブロック２の１段目を据え付けると、上記のように胴込めコンクリート２８を胴込めした１段目の上に２段目の擁壁ブロック２の全てを積む。一方、適宜高さに積むと、積んだ擁壁ブロック２の裏込め工として背面に適宜枠組みをして裏込めコンクリート２７を打つ。さらにその後部と法面１３との間に割石や栗石などの裏込め材１５を裏込めする。
【０００５】
以上のようにして順次に上段の擁壁ブロック２を積み、裏込めコンクリート２７を打ち、さらにその後部と法面１３との間に割石や栗石などの裏込め材１５を裏込めして、最上段の擁壁ブロック２を積み、同様に裏込めして高段積みの擁壁１が形成される。このように擁壁ブロック２に胴込めコンクリート２８を胴込めすることにより背面の土圧に耐える高段積みの擁壁１が形成されていた。
【０００６】
ところで上記のような道路、河川、宅地造成などでの大規模開発により、自然環境が破壊され、緑が著しく減少して環境問題となり、緑の環境を取り戻す工法による開発が求められている。そこで、これらの要請に応えて、植栽可能な種々の擁壁ブロックがこれまでに開発されている。例えば、擁壁ブロックに胴込めコンクリートを胴込することなく空積みし、その各擁壁ブロックに土壌を胴込めし、この擁壁ブロックを控え方向にずらして植栽用の擁壁ブロック前部上面を開放し、あるいは下段から上段になるに連れて擁壁ブロックを小型化してそれぞれ後部を揃えて空積みし、擁壁ブロックの前部上面を開放し、この開放された部分の擁壁ブロックの土壌に植栽して緑化擁壁とするものが提案されている。
【０００７】
しかし、これらの提案された擁壁ブロックによる緑化擁壁のものでは、空積みのため擁壁背面の土圧に耐えられないので高段に積むことができず、低段の空積みによる緑化擁壁しか形成されなかった。
【０００８】
仮に高段の空積みをして植栽土壌を胴込するときは、従来の擁壁の工法と同様に裏込めコンクリートを十分に打って背面圧に十分に対処する必要がある。しかし、このように従来の裏込めコンクリートを裏込めしたものでは、背面の法面の土壌から水分や空気の補給が出来ず、雨水などによる水分が擁壁ブロック上面の植栽域の開放部から供給されるのみであるので、植栽された植物が生育に必要な十分な量の水分や空気の補給できなかった。このため、たとえ植栽しても低木性の植物しか植栽できない問題あった。そこでさらに擁壁ブロックの胴込めした土壌の中に吸水材を詰めて水分を貯蔵して植栽した植物に水分を補給するようにしたものも提案されている。
【０００９】
そこでより高段に積むことができ、かつ、永続的に水分と空気が背面の法面から補給できる緑化擁壁のスピードプレハブ工法の開発が要請されており、さらにその工法に使用する大型の擁壁ブロックの開発が要請されている。
【００１０】
【発明が解決しようとする課題】
本発明が解決しようとする課題は、上記の要請に応えるもので、植栽された植物に必要な水分と空気が背面の法面から絶えず供給でき、低木性のみならず中木性などの比較的背の高い植物も植栽して緑化を図り、景観を自然状態に復元して自然環境を破壊することがなく、短期間で、安定性の高い積み上げで強固な構造物を得る高段の緑化擁壁を形成できるスピードプレハブブロックによる緑化工法および該緑化工法に使用するスピードプレハブ擁壁ブロックを提供することである。
【００１１】
【課題を解決するための手段】
上記の課題を解決するための本発明の手段は、請求項１の発明では、空積みした擁壁ブロックの前部に植栽用の土壌を胴込めして緑化擁壁を形成する緑化工法において、前壁と、前壁から控え方向に延びる左右の横壁および底壁を有する擁壁ブロックの控え側の胴込めポーラスコンクリート部に胴込めポーラスコンクリートを胴込めしかつ胴込めポーラスコンクリートの前方の前壁寄りの植栽用の土壌部に土壌を胴込めして左右に積み、次いで上記の土壌を胴込めした擁壁ブロックの上に上段擁壁ブロックを控え方向にずらして上記の土壌を胴込めした擁壁ブロックの胴込めした土壌部分に植栽域の開放部に空けて積み上げ、積み上げた擁壁ブロックの背面に割石や栗石などの裏込め材を裏込めし、植栽域の開放部に植物を植栽することにより高段積みの緑化擁壁を形成することを特徴とするスピードプレハブ擁壁ブロックによる緑化工法である。
【００１２】
請求項２の発明では、空積みした擁壁ブロックの前部に植栽用の土壌を胴込めして緑化擁壁を形成する緑化工法において、左右の横壁と該左右の横壁下端から上部前方に徐々に突き出しながら傾斜した前壁と底壁と左右横壁の後端の下部を繋ぐ後壁とを有し、左右の横壁の中間に横壁と平行に補強板を有し、該補強板の後端と当接する箇所の該後壁の高さを横壁の高さと同じ背高部に形成し、かつ、前壁の背面と横壁の前端部より前方の空間を植栽域の開放部に形成している擁壁ブロックに、植栽用の土壌を胴込めして上下左右に積み上げ、積み上げた擁壁ブロックの背面に裏込めポーラスコンクリートを裏込めし、さらにその背後に割石や栗石などの裏込め材を裏込めし、植栽域の開放部に植物を植栽することにより高段積みの緑化擁壁を形成することを特徴とするスピードプレハブ擁壁ブロックによる緑化工法である。
【００１３】
請求項３の発明では、胴込めポーラスコンクリートまたは裏込めポーラスコンクリートは、水分および空気を通すことができ、かつ、圧縮強度１０Ｎ／ｍｍ2以上、空隙率１５％以上および透水係数１０-2ｃｍ／ｓ以上からなるポーラスコンクリートを使用いることを特徴とする請求項１または２の手段のスピードプレハブ擁壁ブロックによる緑化工法である。
【００１４】
請求項４の発明では、空積みした擁壁ブロックの前部に植栽用の土壌を胴込めして緑化擁壁を形成する緑化工法において、左右の横壁と該左右の横壁下端から上部前方に徐々に突き出しながら傾斜した前壁と底壁と左右横壁の後端の下部を繋ぐ後壁とを有し、左右の横壁の中間に横壁と平行に補強板を有し、該補強板の後端と当接する箇所の該後壁の高さを横壁の高さと同じ背高部に形成し、かつ、前壁の背面と横壁の前端部より前方の空間を植栽域の開放部に形成している擁壁ブロックに、植栽用の土壌を胴込めして上下左右に積み上げ、背面に直に裏込め材を裏込めして擁壁とし、植栽域の開放部に植物を植栽することにより低・中段積みの緑化擁壁を形成することを特徴とするスピードプレハブ擁壁ブロックによる緑化工法である。
【００１５】
請求項５の発明では、左右の横壁と該左右の横壁下端から上部前方に徐々に突き出しながら前方に傾斜した前壁と底壁と左右横壁の後端の下部を繋ぐ後壁とを有し、左右の横壁の中間に横壁と平行に補強板を有し、該補強板の後端と当接する箇所の該後壁の高さを横壁の高さと同じ背高部に形成し、かつ、前壁の背面と横壁の前端部より前方の空間を植栽域の開放部に形成していることを特徴とする請求項２〜４のいずれか１項の手段の緑化工法に用いる擁壁ブロックである。
【００１６】
請求項６の発明では、横壁および底壁はそれぞれ開孔が形成されていることを特徴とする請求項５の手段の擁壁ブロックである。
【００１７】
【発明の実施の形態】
本発明の実施の形態を図面を参照して説明する。図１は本発明の一実施の形態のスピードプレハブ緑化工法を説明する擁壁の模式的側面図である。図２は他の実施の形態のスピードプレハブ緑化工法を説明する擁壁の模式的側面図である。図３は本発明の擁壁ブロックの斜視図で（ａ）は正面側から、（ｂ）は背面側から見た図である。図４は図３の擁壁ブロックを上下左右に積んだ模式的斜視図である。図５は本発明の擁壁ブロックを使用した裏込めコンクリートを用いることなく直に裏込め材により裏込めするスピードプレハブ緑化工法による擁壁の模式的側面図である。図６は従来法による緑化を行わない工法を説明する擁壁の模式的側面図である。
【００１８】
本発明の一実施の形態を説明する。この実施の形態は、図１に示すように、前壁３とこの前壁３から控え方向に延びる左右の横壁４、４および底壁５からなる擁壁ブロック２を使用し、この実施の形態では、横壁４には貫通により左右が連通した開孔８がそれぞれ設けられ、また同様に底壁５には貫通により上下が連通した開孔８が設けられ、擁壁ブロック２はその開孔８の分だけ軽量になっている。
【００１９】
この緑化スピードプレハブ工法では、使用する擁壁ブロック２として、控え方向の長さが種々に異なる擁壁ブロック２を用意し、最下段に積むものを最も控え方向の長さの長い擁壁ブロック２とし、高段になるに連れて順次に短い擁壁ブロック２とする。これらを積むときは下段の擁壁ブロック２の前壁３に対して上段の擁壁ブロック２の前壁３を控え方向にずらして前壁３側の場所を空けて植栽域の開放部１６の胴込め土壌部３１とし、その控え方向の後部を胴込めポーラスコンクリート部３２とする。
【００２０】
上記の擁壁ブロック２を用いる緑化工法を説明する。擁壁１を施工する盛土や崖などの法面１３の前方の基盤１０に基礎工として栗石または割石１１を敷きその上に基礎コンクリート１２を打つ。次いで擁壁１を施工する法面１３から裏込め工の場所を空けて、最下段の最も長い擁壁ブロック２を据え付ける。擁壁ブロック２の前壁３の背面の開放部１６に植栽用の土壌９を上方から胴込めして胴込め土壌部３１を形成する。この胴込め土壌部３１後面に取り外し可能の枠を組み、この枠の後部の控えに胴込めポーラスコンクリート２８ａを胴込めして胴込めポーラスコンクリート部３２を形成して上記の枠を除去する。このようにして左右に擁壁ブロック２の１段目を据え付けると、上記のように植栽用土壌９を胴込めした胴込め土壌部３１の１段目の擁壁ブロック２の前方の植栽用の開放部１６を空けるように次に長い擁壁ブロック２を控え方向にずらして２段目の擁壁ブロック２を積み、同様に左右の２段目の擁壁ブロック２の全てを積む。一方、適宜高さに積むと、その積んだ擁壁ブロック２の背面と法面１３との間の裏込め部分に積んだ擁壁ブロック２の裏込め工として割石や栗石などの裏込め材１５を裏込めして擁壁１８とする。
【００２１】
上記において、適宜必要により、図示しないが、積んだ擁壁ブロック２の背面と法面１３との間の裏込め部分に積んだ擁壁ブロック２の裏込め工として背面に適宜枠組みをして裏込めポーラスコンクリート１４を打ち、さらにその背面と法面１３との間の裏込め部分に積んだ擁壁ブロック２の裏込め工として割石や栗石などの裏込め材１５を裏込めして法面からの背面圧に対する強度を一層保って擁壁１８に積むこともできる。
【００２２】
以上のようにして順次に短くなる上段の擁壁ブロック２を積み、裏込めポーラスコンクリート１４を打ち、さらにその後部と法面１３との間に割石や栗石などの裏込め材１５を裏込めして、最上段の最短の擁壁ブロック２を積み、裏込めして階段状の擁壁１が形成される。この階段状の擁壁１の各擁壁ブロック２の胴込め土壌部３１の前方の開放部１６の土壌に低木性あるいは中木性の植物１７を植生する。以上により擁壁１の全面を緑化する緑化工法は完了する。
【００２３】
次いで、他の実施の形態について説明するが、この説明に先立ってこの実施の形態に使用する擁壁ブロックの実施の形態を先ず説明する。図３の（ａ）および（ｂ）に見られるように、擁壁ブロック１９は左右の横壁２１、２１と、この左右の横壁２１、２１の下端から上部前方になるにつれた徐々にオーバーハング状に突き出しながら前方に傾斜した前壁２０と底壁２２を有する。このオーバーハング状に突き出しながら前方に傾斜した前壁２０の背面と横壁２１の前端部より前側の領域が植栽域の開放部１６になっている。さらに適宜補強のため、左右の横壁２１、２１の中間に横壁２１、２１と平行な補強用の補強板２３を有し、さらに左右横壁２１、２１の後端の下部間を繋ぐ後壁２４を有する。補強板２３の後端と当接する箇所の後壁２４の高さは横壁２１の高さと同じ背高部２５に形成されている。さらに軽量化のため横壁２１および底壁２２には開孔２６が形成されている。この図３の擁壁ブロック１９は後壁２４が上部が後方へオーバーハング状に傾斜しており、擁壁１８を設置する法面１３と略平行になっている。
【００２４】
緑化工法の他の実施の形態は、上記した擁壁ブロック１９を左右上下に積み上げて擁壁１８とし、その各段の擁壁ブロック１９の植栽域の開放部１６に植物１７を植栽してなるものである。すなわち、擁壁ブロック１９を空積みして擁壁１８とした前壁側から見た斜視図を説明のため図４に示す。
【００２５】
この実施の形態の緑化工法は、図２に見られるように、擁壁１８を施工する盛土や崖などの法面１３の前方の基盤１０に基礎工として栗石または割石１１を敷きその上に基礎コンクリート１２を打つ。次いで擁壁１８を施工する法面１３から裏込め工の場所を空けて、最下段の基礎ブロックを据え付け、その上に上記した擁壁ブロック１９の最下段を据え付ける。擁壁ブロック１９の前壁２０の背面の開放部１６に植栽用の土壌９を上方から胴込めする。このようにして左右に擁壁ブロック１９の１段目を据えつけると、上記のように植栽用土壌９を胴込めした１段目の前方の植栽用の開放部１６を空け、上下の擁壁ブロック１９、１９の各横壁２１を合致させて２段目の擁壁ブロック１９を積み、同様に左右の２段目を積む。一方、適宜高さに積むと、積んだ擁壁ブロック１９の裏込め工として背面に適宜枠組みをして裏込めポーラスコンクリート１４を打ち、さらにその後部と法面１３との間に割石や栗石などの裏込め材１５を裏込めする。
【００２６】
以上のようにして順次上段の擁壁ブロック１９を積み、裏込めポーラスコンクリート１４を打ち、さらにその後部と法面１３との間に割石や栗石などの裏込め材１５を裏込めして、最上段の擁壁ブロック２を積み、裏込めして階段状の擁壁１が形成される。この階段状の擁壁１の各擁壁ブロック２の前方の開放部１６の土壌に低木あるいは中木の植物１７を植生する。以上により擁壁１の全面を緑化する緑化工法は完了する。
【００２７】
上記のそれぞれの実施の形態において、裏込めポーラスコンクリート１４あるいは胴込めポーラスコンクリート２８ａは、セメントに混入する骨材の粒度あるいはその割合を適宜に調整してモルタル中に連続孔を導入しながら凝固することで連続的に開口した多孔を有し水分および空気を通すことのできるポーラスコンクリートとする。しかしながら、これらの裏込めポーラスコンクリート１４はポーラスとすることで擁壁１や１８としての必要な強度を維持する必要があり、圧縮強度１０Ｎ／ｍｍ2以上とするのが好ましい。１０Ｎ／ｍｍ未満では擁壁としての強度が不足する。上限は、水分や空気の補給が行われる連続の多孔が存在する範囲ならば問題がない。
【００２８】
上記において、裏込めポーラスコンクリート１４あるいは胴込めポーラスコンクリート２８ａは、圧縮強度１０Ｎ／ｍｍ2以上に加えて、さらに、空隙率１５％以上および透水係数１０-2ｃｍ／ｓ以上とするのが好ましい。空隙率が１５％未満では、十分な水分や空気の補給が行われない。また、さらに透水係数が１０-2ｃｍ／ｓ未満では、水分の移動に時間がかかり過ぎる結果、同じく十分な水分の補給がはかられないので、上記のように各条件を満足するポーラスコンクリートとする。
【００２９】
さらに、図５に示すように、この緑化工法の実施の形態では、図２に示す実施の形態と異なり、擁壁１８の背部の裏込め工に裏込めポーラスコンクリート１４を形成することなく、図３に示す擁壁ブロック１９を使用するもので、擁壁ブロック１９の背面に直に割石または栗石などの裏込め材１５を裏込めして擁壁とするものである。図２に示す実施の形態と同様に植栽域の開放部１６に植物を植栽して緑化した擁壁１８を形成するもので、従って、擁壁ブロック１９の前壁２０の背面と横壁２１の前端部より前方の空間を植栽域の開放部１６とし、この開放部１６に植栽用の土壌９を胴込めしている。
【００３０】
【発明の効果】
以上説明したように、本発明の緑化工法は、水分および空気を通すことのできるポーラスコンクリートを法面の土壌側の通水性の割石や栗石などの裏込め材と擁壁ブロックを積み上げてなる擁壁との間の裏込めコンクリートに使用することで、あるいは擁壁ブロック内の法面側にポーラスコンクリートを胴込めコンクリート部として胴込めし、擁壁ブロックの前壁側の植栽域の胴込め土壌部に接続することで、法面の土壌から擁壁ブロックの植栽域の土壌に絶えず水分と空気を補給することを可能としたので、従来の工法における擁壁ブロックに植栽された植物に必要な水分が背面の法面から供給でき無かったので低木性の植物しか植栽できなかったことに比し、本発明の緑化工法では低木性のみならず中木性などの比較的背の高い植物も植栽して緑化を図ることができる。さらに、従来の低段の緑化擁壁しか出来なかったものを裏込めポーラスコンクリートとすることで、高段の緑化擁壁が形成できるようになり、法面の景観を自然状態に復元して短期間で、安定性の高い積み上げで強固な構造物を得ることができる。
【００３１】
また、さらに本発明の擁壁ブロックを採用することで、擁壁に積むとき、擁壁ブロックを後方にずらしたり、あるいは控え方向の長さの異なる多数の擁壁ブロックを準備しなくとも、一種類の擁壁ブロックで擁壁前側に植栽でき、かつ擁壁ブロックを安全性高く積み上げることができるなど、本発明は従来にない優れた効果を奏するものである。
【図面の簡単な説明】
【図１】  本発明の一実施の形態の緑化工法を説明する擁壁の模式的側面図である。
【図２】  本発明の他の実施の形態の緑化工法を説明する擁壁の模式的側面図である。
【図３】  本発明の擁壁ブロックの斜視図で（ａ）は正面側から、（ｂ）は背面側から見た図である。
【図４】  図３の擁壁ブロックを上下左右に積んだ模式的斜視図である。
【図５】  本発明の擁壁ブロックを使用した裏込めコンクリートを用いることなく直に裏込め材により裏込めする緑化工法による擁壁の模式的側面図である。
【図６】  従来法による緑化を行わない工法を説明する擁壁の模式的側面図である。
【符号の説明】
１  擁壁
２  擁壁ブロック
３  前壁
４  横壁
５  底壁
６  後壁
７  補強板
８  開孔
９  土壌
１０  基盤
１１  割石
１２  基礎コンクリート
１３  法面
１４  裏込めポーラスコンクリート
１５  裏込め材
１６  開放部
１７  植物
１８  擁壁
１９  擁壁ブロック
２０  前壁
２１  横壁
２２  底壁
２３  補強壁
２４  後壁
２５  背高部
２６  開孔
２７  裏込めコンクリート
２８  胴込めコンクリート
２８ａ  胴込めポーラスコンクリート
２９  吸い出し防止材
３０  水抜き孔
３１  胴込め土壌部
３２  胴込めポーラスコンクリート部
【図１】
0003645229.tif 000002
【図２】
0003645229.tif 000003
【図３】
0003645229.tif 000004
【図４】
0003645229.tif 000005
【図５】
0003645229.tif 000006
【図６】
0003645229.tif 000007